(57)【要約】【課題】  ウィンドウ内という限られた領域に詳細情報を効率よく表示することにより、操作性の向上を図り、詳細情報の認識を容易に行えるようにする。【解決手段】  ウィンドウ内に表示される詳細情報の表示履歴を管理し、ウィンドウ内に表示される詳細情報の数に制限を設け、過去に参照した詳細情報をウィンドウ内に残すようにする。  また、表示する詳細情報についてはウィンドウ内で最上位に表示されている最新詳細情報と過去に参照した過去詳細情報とに区別し、過去詳細情報は半透明、サイズ縮小して表示を行う。また、詳細情報表の表示件数、詳細情報の表示属性、過去詳細情報の表示属性を指定することを可能とする。【選択図】  図２
2008262312.tif 000002
【特許請求の範囲】
【請求項１】
情報処理装置の表示手段に表示されるウィンドウに表示している表示情報に関連する関連情報を表示する関連情報表示制御方法において、
前記ウィンドウ毎に、当該ウィンドウに表示できる関連情報の表示件数を記憶しておき、
前記情報処理装置のユーザから関連情報の表示要求を受け付け、
前記表示要求により表示される関連情報の数を検知し、
検知された関連情報の数が、記憶された前記表示件数を超えたかを判断し、
前記表示件数を超えたと判断された場合、前記表示件数の範囲内の関連情報を表示するよう制御することを特徴とする関連情報表示制御方法。
【請求項２】
請求項１に記載の関連情報表示制御方法において、
前記制御は、前記ウィンドウに表示された関連情報のうち少なくとも１つの関連情報を、所定順位に従って前記表示手段から消去することを特徴とする関連情報表示制御方法。
【請求項３】
請求項２に記載の関連情報表示制御方法において、
前記制御は、消去する関連情報として表示時間が長い関連情報から消去することを特徴とする関連情報表示制御方法。
【請求項４】
請求項２に記載の関連情報表示制御方法において、
前記関連情報は、予め表示優先順位と対応付けて記憶されており、
前記制御は、前記表示優先順位の示す優先順の低い順序で関連情報を消去することを特徴とする関連情報表示制御方法。
【請求項５】
請求項２乃至４のいずれかに記載の関連情報表示制御方法において、
前記関連情報を、関連情報表示ウィンドウに表示し
前記ウィンドウに対して表示情報制御情報と対応付け、前記関連情報表示ウィンドウに当該ウィンドウの表示の消去を、前記所定順位に従って制御するための関連情報制御情報を対応付けておき、
前記制御は、前記関連制御情報を用いて、前記所定順位に従って前記関連情報表示ウィンドウを消去することで、対応する関連情報の消去を行うことを特徴とする関連情報表示制御方法。
【請求項６】
請求項２乃至５のいずれかに記載の関連情報表示制御方法において、
表示された関連情報について、前記所定順位に従って表示形態を変更して表示することを特徴とする関連情報表示制御方法。
【請求項７】
請求項６に記載の関連情報表示制御方法において、
前記表示形態には、関連情報の大きさ、色の濃淡および表示の重なり状況の少なくとも１つを含むことを特徴とする関連情報表示制御方法。
【請求項８】
表示手段を備えた情報処理装置であって、前記表示手段に表示されるウィンドウに表示している表示情報に関連する関連情報を表示する関連情報表示制御装置において、
前記ウィンドウ毎に、当該ウィンドウに表示できる関連情報の表示件数を記憶する記憶手段と、
当該関連情報表示制御装置のユーザから関連情報の表示要求を受け付ける受付手段と、
前記表示要求により表示される関連情報の数を検知する検知手段と、
検知された関連情報の数が、記憶された前記表示件数を超えたかを判断する判断手段と、
前記表示件数を超えたと判断された場合、前記表示件数の範囲内の関連情報を表示するよう制御する制御手段とを有することを特徴とする関連情報表示制御装置。
【請求項９】
請求項８に記載の関連情報表示制御装置において、
前記制御手段は、前記ウィンドウに表示された関連情報のうち少なくとも１つの関連情報を、所定順位に従って前記表示手段から消去することを特徴とする関連情報表示制御装置。
【請求項１０】
請求項９に記載の関連情報表示制御装置において、
前記制御手段は、消去する関連情報として表示時間が長い関連情報から消去することを特徴とする関連情報表示制御装置。
【請求項１１】
請求項９に記載の関連情報表示制御装置において、
前記関連情報は、予め表示優先順位と対応付けて記憶されており、
前記制御は、前記表示優先順位の示す優先順の低い順序で関連情報を消去することを特徴とする関連情報表示制御装置。
【請求項１２】
請求項９乃至１１のいずれかに記載の関連情報表示制御装置において、
前記制御手段は、前記関連情報を、関連情報表示ウィンドウに表示し
前記記憶手段は、前記ウィンドウに対して表示情報制御情報と対応付け、前記関連情報表示ウィンドウに当該ウィンドウの表示の消去を、前記所定順位に従って制御するための関連情報制御情報を対応付けて記憶し、
前記制御手段は、前記関連制御情報を用いて、前記所定順位に従って前記関連情報表示ウィンドウを消去することで、対応する関連情報の消去を行うことを特徴とする関連情報表示制御装置。
【請求項１３】
請求項９乃至１２のいずれかに記載の関連情報表示制御装置において、
前記制御手段は、表示された関連情報について、前記所定順位に従って表示形態を変更して表示することを特徴とする関連情報表示制御装置。
【請求項１４】
請求項１３に記載の関連情報表示制御装置において、
前記表示形態には、関連情報の大きさ、色の濃淡および表示の重なり状況の少なくとも１つを含むことを特徴とする関連情報表示制御装置。
【発明の詳細な説明】
【技術分野】
【０００１】
本発明は、ウィンドウ内に多数の図形を表示した場合の可視性、操作性に関し、特にＧＩＳ（Ｇｅｏｇｒａｐｈｉｃ  Ｉｎｆｏｒｍａｔｉｏｎ  Ｓｙｓｔｅｍ）等で用いられている地図上に表示された施設アイコンを選択することで表示される関連情報（例えば、施設の詳細情報）の表示技術に関する。
【背景技術】
【０００２】
ＧＩＳ等において地図上に施設のアイコン等を表示し、アイコンを選択することでその施設の詳細情報を表示する方法が用いられている。その詳細情報表示処理では過去に選択した施設の詳細情報はウィンドウ内から消去され、最も新しく選択した施設の詳細情報のみがウィンドウ内に表示される。
【０００３】
また、特許文献１では、複数の入力情報による検索の検索結果に対する相違内容に色彩を活用して表示することにより、入力情報間の差分や系列的変化を利用者に視覚的、かつ客観的に理解可能とさせる方法が提案されている。
【０００４】
【特許文献１】特開２００１−１７５６６８号公報
【発明の開示】
【発明が解決しようとする課題】
【０００５】
詳細情報などの関連情報を認識させるには全ての情報を表示し、全体を見渡せるようにすることが最良であるが、ウィンドウ内や表示画面内などといった制限のある領域へ全ての詳細情報を表示した場合、ウィンドウ内が頻雑となり可視性が悪くなることにより、かえって詳細情報の認識が困難になってしまう。
【０００６】
よって、従来の詳細情報の表示方法では常に最新の詳細情報のみを表示し、以前に参照した詳細情報はウィンドウ内から消去されていた。しかし、対話的な操作を行う現在のシステムにおいて以前に参照した詳細情報がどの場所でどのような内容だったかを再度参照したい場合が多々発生し、この場合、再度以前に参照した詳細情報を表示する操作が発生し、また詳細情報の比較を行いたい場合は片方の詳細情報の内容を何らかの形で退避し内容比較と行わなければならないという様な、操作性に問題があった。
【０００７】
また、情報の相違内容に色彩を変更させて表示することにより認識性を高める方法は提案されているが、可視性を損ねることなくウィンドウ内にできるだけ多くの情報を表示する方法は提案されていない。
【０００８】
本発明の目的は、可視性、操作性を考慮した形でウィンドウ内にできるだけ多くの情報を表示することを可能とし、詳細情報の認識が容易に行えるようにすることにある。
【課題を解決するための手段】
【０００９】
上記の課題を解決するために、本発明では、関連情報（例えば、詳細情報）について、領域内に表示される数(上限)を定めておき、これに従って関連情報の表示を制御するものである。
【００１０】
より詳細には以下の態様も含まれる。
【００１１】
情報処理装置の表示手段に表示されるウィンドウに表示している表示情報に関連する関連情報を表示する関連情報表示制御方法において、前記ウィンドウ毎に、当該ウィンドウに表示できる関連情報の表示件数を記憶しておき、前記情報処理装置のユーザから関連情報の表示要求を受け付け、前記表示要求により表示される関連情報の数を検知し、検知された関連情報の数が、記憶された前記表示件数を超えたかを判断し、前記表示件数を超えたと判断された場合、前記表示件数の範囲内の関連情報を表示するよう制御する。
【００１２】
この関連情報表示制御において、前記制御は、前記ウィンドウに表示された関連情報のうち少なくとも１つの関連情報を、所定順位に従って前記表示手段から消去することも本発明に含まれる。
【００１３】
また、この関連情報表示制御において、前記制御は、消去する関連情報として表示時間が長い関連情報から消去することも本発明に含まれる。
【００１４】
また、この関連情報表示制御において、前記関連情報は、予め表示優先順位と対応付けて記憶されており、前記制御は、前記表示優先順位の示す優先順の低い順序で関連情報を消去することも本発明に含まれる。
【００１５】
また、これらのいずれかに記載の関連情報表示制御において、前記関連情報を関連情報表示ウィンドウに表示し、前記ウィンドウに対して表示情報制御情報と対応付け、前記関連情報表示ウィンドウに当該ウィンドウの表示の消去を、前記所定順位に従って制御するための関連情報制御情報を対応付けておき、前記制御は、前記関連制御情報を用いて、前記所定順位に従って前記関連情報表示ウィンドウを消去することで、対応する関連情報の消去を行うことも本発明に含まれる。
【００１６】
また、これらのいずれかに記載の関連情報表示制御において、表示された関連情報について、前記所定順位に従って表示形態を変更して表示することも本発明に含まれる。
【００１７】
さらに、この関連情報表示制御において、前記表示形態には、関連情報の大きさ、色の濃淡および表示の重なり(重畳)状況の少なくとも１つを含むことも本発明に含まれる。
【００１８】
なお、本発明には、以下の態様も含まれる。ウィンドウ内に表示される詳細情報の表示履歴を管理し、ウィンドウ内に表示される詳細情報の数に制限を設け、過去に参照した詳細情報をウィンドウ内に残すようにする。また、表示する詳細情報についてはウィンドウ内で最上位に表示されている最新詳細情報と過去に参照した過去詳細情報とに区別し、過去詳細情報は半透明、サイズ縮小して表示を行う。また、詳細情報表の表示件数、詳細情報の表示属性、過去詳細情報の表示属性を指定することを可能とし、ユーザニーズに対応した内容でウィンドウ内に詳細情報の表示を行うことを可能とする。
【発明の効果】
【００１９】
本発明では、関連情報を整理して表示可能になり、ユーザニーズの範囲内でウィンドウなどの領域内の表示が頻雑となること防ぐことができる。これにより、操作性、可視性の向上が図れ、詳細情報の認識が容易に行えるようになる。
【発明を実施するための最良の形態】
【００２０】
以下、本発明の実施形態について図面を用いて詳細に説明する。
【実施例１】
【００２１】
図１は本発明方法を利用したウィンドウ内での詳細情報の表示内容である。ベースとなる地図１１上にアイコン１２、１３、１４、１５が表示されており、アイコンを選択すると、その地点に存在する施設の詳細情報を表示する内容になっている。ウィンドウ内に表示される詳細情報の表示件数には３が指定されているものとする。
【００２２】
アイコン１２に対応した詳細情報１６、アイコン１３に対応した詳細情報１７は過去詳細情報となっており、過去詳細情報表示手段で表示されており、半透明、サイズ縮小されて表示されている。
【００２３】
アイコン１５に対応した詳細情報１８は選択モード中で最新詳細情報となっており、選択詳細情報表示手段で表示されており、半透明、サイズ縮小を行わないで表示されている。
【００２４】
アイコン１４に対応した詳細情報は最も過去に参照した詳細情報で、詳細情報表示件数を超えるため、ウィンドウ内から消去されている。
【００２５】
図２は本発明の原理構成ブロック図である。本発明ではユーザから指定されたウィンドウ内に表示する詳細情報の表示件数を管理する表示件数管理手段２１と、ユーザからの詳細情報の表示要求を受け付ける詳細情報表示受け付け手段２２と、表示モードの変更を受け付ける表示モード受け付け手段２３と、ユーザから指定された詳細情報表示属性、過去詳細情報表示属性を管理する表示属性管理手段２４と、詳細情報の表示履歴の管理を行いそれぞれの詳細情報に対応した表示手段を呼出す詳細情報制御手段２５と、ウィンドウ内に表示されている詳細情報を消去する詳細情報消去手段２６と、詳細情報を詳細情報表示属性で表示する選択詳細情報表示手段２７と、詳細情報を詳細情報表示属性、および過去詳細情報表示属性で表示する過去詳細情報表示手段２８とを備えることを特徴とする。
【００２６】
ユーザから、ウィンドウ内に表示する詳細情報の表示件数に変更要求があった場合、表示件数管理手段２１は要求件数を登録すると共に詳細情報制御手段２５を呼出す。詳細情報制御手段２５では表示件数管理手段２１で登録された表示件数を基に詳細情報の表示状態の判別を行い、非表示となった詳細情報に対し、詳細情報消去手段２６で詳細情報の消去を行い、過去詳細情報となった詳細情報に対し、過去詳細情報表示手段２８で表示更新を行う。
【００２７】
ユーザから、詳細情報の表示要求があった場合、詳細情報表示受け付け手段２２は詳細情報制御手段１５を呼出す。詳細情報制御手段２５では詳細情報の表示履歴の更新処理を行い、表示モードを選択モードに移行し、表示要求のあった詳細情報を最新詳細情報として選択詳細情報表示手段２７で表示を行い、それまで最新詳細情報であった詳細情報を過去詳細情報として過去詳細情報表示手段２８で表示を行い、詳細情報表示件数の範囲を超えた過去詳細情報を非表示詳細情報として詳細情報消去手段２６で消去する。
【００２８】
ユーザから表示モードの変更要求があった場合、表示モード受け付け手段２３は詳細情報制御手段２５を呼出す。詳細情報制御手段２５では最新詳細情報を指定された表示モードの内容に従い、選択モードの場合は選択詳細情報表示手段２７で表示を行い、通常モードの場合は過去詳細情報表示手段２８で表示を行う。
【００２９】
ユーザから詳細情報表示属性、または過去詳細情報表示属性の変更要求があった場合、表示属性管理手段２４は表示属性を登録すると共に詳細情報制御手段２５を呼出す。詳細情報制御手段２５では最新詳細情報に対しては表示モードに従い、選択詳細情報表示手段２７、あるいは過去詳細情報表示手段２８で表示更新を行い、過去詳細情報に対しては過去詳細情報表示手段２８で表示更新を行う。
図３は本発明の画像表示装置の構成図である。図において３１は入力装置、３２は中央処理装置、３３は主記憶装置、３４は表示装置、３５は補助記憶装置である。表示件数管理手段３６−１、詳細情報表示受け付け手段３６−２、表示モード受け付け手段３６−３、表示属性管理手段３６−４、詳細情報制御手段３６−５、詳細情報消去手段３６−６、選択詳細情報表示手段３６−７、過去詳細情報表示手段３６−８はプログラムであり、通常補助記憶装置３５のプログラム記憶部３６に格納されており、オペレーティングシステムの操作により、主記憶装置３３に格納される。
【００３０】
表示件数管理手段３６−１で登録する詳細情報表示件数は詳細情報表示件数記憶領域３７−１に格納される。表示属性管理手段３６−４で登録する表示属性情報は詳細情報表示属性記憶領域３７−２、および過去詳細情報表示属性記憶領域３７−３に格納される。詳細情報制御手段３６−５で管理する詳細情報の表示履歴は詳細情報表示履歴記憶領域３７−４、また、表示モードは表示モード記憶領域３７−５に格納される。各記憶領域の内容はオペレーティングシステムの操作により、主記憶装置３３または補助記憶装置３５に作成される。
【００３１】
図４は、表示件数管理手段のフローチャートである。表示件数管理手段では指定件数取得４１で指定された表示件数を取得し、現在値取得４２で現在詳細情報表示件数記憶領域４６に登録されている表示件数を取得する。
【００３２】
内容比較４３で上記処理で取得した両表示件数の比較を行い、内容が同じ場合は詳細情報表示件数記憶領域４６、及び現在ウィンドウ内に表示されている詳細情報の内容に変更がないため、そのまま処理を終了する。内容が異なる場合は指定件数取得４１で取得した値を取得件数の登録４４で詳細情報表示件数記憶領域４６に登録し、詳細情報の表示更新を行うために詳細情報制御手段の呼出し４５を行う。この、詳細情報制御手段の呼出し４５においては呼出し元を識別する識別ＩＤと現在値取得４２で取得した値を詳細情報制御手段に渡す。
【００３３】
図５は、詳細情報表示受け付け手段のフローチャートである。詳細情報表示受け付け手段では指定された詳細情報の表示位置、情報内容等を含む情報実体を取得し、詳細情報制御手段の呼出し５２を行う。この、詳細情報制御手段の呼出し５２においては呼出し元を識別する識別ＩＤと詳細情報実体の取得５１で取得した詳細情報の情報実体を詳細情報制御手段に渡す。
【００３４】
図６は、表示モード受け付け手段のフローチャートである。表示モード受け付け手段では指定された表示モードを取得し、詳細情報制御手段の呼出し６２を行う。この、詳細情報制御手段の呼出し６２においては呼出し元を識別する識別ＩＤと表示モードの取得６１で取得した表示モードを詳細情報制御手段に渡す。
【００３５】
図７は、表示属性管理手段のフローチャートである。表示属性管理手段では詳細情報表示属性取得７０１で指定された詳細情報表示属性を取得し、内容比較７０２で現在の内容と比較し、異なる場合、詳細情報表示属性登録７０３で詳細情報表示属性記憶領域７０９に登録する。
【００３６】
過去詳細情報表示属性取得７０４では、過去詳細情報表示属性として透明率、縮小率を取得し、内容比較７０５で現在の内容と比較し、異なる場合、過去詳細情報表示属性登録７０６で過去詳細情報表示属性記憶領域７１０の透明率領域７１０−１、縮小率領域７１０−２に登録する。
【００３７】
呼出し要否判定７０７では、詳細情報表示属性、過去詳細情報表示属性に変更があったかを判定し、変更があった場合は表示更新を行うために詳細情報制御手段の呼出し７０８を行う。この、詳細情報制御手段の呼出し７０８においては呼出し元を識別する識別ＩＤと詳細情報表示属性、過去詳細情報表示属性のどちらに変更があったかを示す変更属性フラグを詳細情報制御手段に渡す。
【００３８】
図８は、詳細情報制御手段での詳細情報の表示手段を判定する方法を示した図である。ウィンドウ内に表示を行った全ての詳細情報は表示順序に従い、詳細情報表示履歴記憶領域８１に最新から最古の順序に配列として管理されている。また、この順序は、表示されている時間が長い順序としてもよい。
【００３９】
ウィンドウ内に表示される詳細情報は詳細情報表示件数記憶領域８２の値までであり、このうち最新の詳細情報８１−１を最新詳細情報、それ以外の詳細情報８１−２、８１−３、８１−４を過去詳細情報、詳細情報表示件数記憶領域８２の値を超える詳細情報８１−５、８１−６を非表示詳細情報として判定する。
【００４０】
詳細情報の追加、削除等により、非表示詳細情報となった詳細情報は詳細情報消去手段８４でウィンドウ内から消去され、過去詳細情報となった詳細情報は過去詳細情報表示手段８５で表示更新を行う。最新詳細情報は表示モード記憶領域８７の内容に従い、選択モードの場合は選択詳細情報表示手段８６で表示を行い、通常モードの場合は過去詳細情報表示手段８５で表示を行う。
【００４１】
図９は、詳細情報制御手段のフローチャートである。呼出し元判別９１では呼出し元から渡された識別ＩＤを基にどの手段から呼出されたかの判定を行う。表示件数管理手段からの呼出しの場合、表示件数変更表示処理９２で、詳細情報表示受け付け手段からの呼出しの場合、表示受け付け表示処理９３で、表示モード受け付け手段からの呼出しの場合、表示モード受け付け表示処理９４で、表示属性管理手段かの呼出しの場合、表示属性変更表示処理９５で詳細情報の表示処理を行う。
【００４２】
表示件数変更表示処理９２の処理内容は図１０で、表示受け付け表示処理９３の処理内容は図１１で、表示モード受け付け表示処理９４の処理内容は図１２で、表示属性変更表示処理９５の処理内容は図１３で詳細に説明する。
【００４３】
図１０は、表示件数変更表示処理のフローチャートである。表示件数管理手段より本詳細情報制御手段に渡される更新前の表示件数と新たに詳細情報表示件数記憶領域に登録された表示件数を基に表示件数の増減チェック１０１を実施する。
【００４４】
減少の場合、新非表示詳細情報取得１０２で新たに非表示詳細情報に移行する詳細情報を取得し、処理終了チェック１０４では、新非表示詳細情報取得１０２で取得した全詳細情報に対し、詳細情報消去手段呼出し１０３を行い、詳細情報の消去を行う。
【００４５】
増加の場合、新過去詳細情報取得１０５で新たに過去詳細情報に移行する詳細情報を取得し、処理終了チェック１０７では、新過去詳細情報取得１０５で取得した全詳細情報に対し、過去詳細情報表示手段呼出し１０６を行い、詳細情報の表示を行う。
【００４６】
図１１は、表示受け付け表示処理のフローチャートである。表示必要性チェック１１１では詳細情報表示受け付け手段より本詳細情報制御手段に渡された詳細情報実体の中に含まれる表示座標値等により、指定された詳細情報が既に最新詳細情報に登録されており、表示モード記憶領域の内容が選択モードの場合、既に選択詳細情報表示手段で指定された詳細情報がウィンドウ内に表示されているため、表示更新が必要ないので処理を終了する。
【００４７】
表示モード記憶領域更新処理１１２では表示モード記憶領域の内容が通常モードの場合、選択モードを登録する。詳細情報表示履歴記憶領域更新処理１１３では詳細情報表示履歴記憶領域の更新を行う。更新内容については図１２で説明を行う。
【００４８】
新非表示詳細情報有無チェック１１４で新たに非表示となった詳細情報が存在する場合、非表示となった詳細情報に対し、詳細情報消去手段呼出し１１５を行い、詳細情報の消去を行う。
【００４９】
新過去詳細情報有無チェック１１６で新たに過去詳細情報となった詳細情報が存在する場合、過去詳細情報となった詳細情報に対し、過去詳細情報表示手段呼出し１１７を行い、詳細情報の表示更新を行う。選択詳細情報表示手段呼出し１１８で表示要求のあった詳細情報に対し、詳細情報の表示更新を行う。
【００５０】
図１２は、前記詳細情報表示履歴記憶領域更新処理における詳細情報表示履歴記憶領域の更新方法を示した図である。詳細情報表示履歴記憶領域１２１は詳細情報識別ＩＤ採番テーブル１２２と、表示履歴テーブル１２３と詳細情報実体記憶領域１２４とで構成される。
【００５１】
詳細情報識別ＩＤ採番テーブル１２２は整数の値を管理し、採番するごとに１加算更新を行う。本詳細情報識別ＩＤ採番テーブル１２２より取得した値を詳細情報識別ＩＤとして使用する。
表示履歴テーブル１２３は詳細情報の表示履歴を管理するテーブルで、ウィンドウ内で表示された詳細情報の表示順序に従い、詳細情報実体に対応付けられた詳細情報識別ＩＤを登録する。
【００５２】
詳細情報実体記憶領域１２４は表示要求のあった詳細情報の実体を管理する領域で、新規の詳細情報の表示要求があった場合、詳細情報識別ＩＤ１２３−１と詳細情報実体１２４−１を対応付けて登録する。
【００５３】
以下に、詳細情報表示履歴記憶領域更新処理の処理内容について説明する。詳細情報表示履歴記憶領域１２１は詳細情報表示履歴記憶領域の更新前の状態であり、詳細情報実体記憶領域１２４には詳細情報実体Ｄ１２４−１、詳細情報実体Ｃ１２４−２、詳細情報実体Ｂ１２４−３、詳細情報実体Ａ１２４−４が登録されている。表示履歴テーブル１２３には詳細情報の表示順序に従い、詳細情報識別ＩＤ＿Ｄ１２３−１、詳細情報識別ＩＤ＿Ｃ１２３−２、詳細情報識別ＩＤ＿Ｂ１２３−３、詳細情報識別ＩＤ＿Ａ１２３−４の順に登録されている。
【００５４】
詳細情報表示受け付け手段１２５より詳細情報実体１２６の表示要求があった場合、詳細情報新規チェック１２８では表示要求のあった詳細情報実体１２６の内容と詳細情報実体記憶領域１２４に登録されている各詳細情報実体１２４−１、１２４−２、１２４−３、１２４−４の内容比較を行う。
【００５５】
同一内容のもの（もしくは同じ識別情報のもの）が存在すると検知された場合、既存詳細情報の表示要求（ここでは詳細情報実体Ｂ１２４−３の表示要求があったものとする）であるため、表示履歴テーブル更新１２１２のみを行う。表示履歴テーブル更新１２１２では表示履歴テーブル１２１６に示すように表示要求のあった詳細情報実体Ｂ１２４−３に対応する詳細情報識別ＩＤ＿Ｂ１２３−３が最新詳細情報に登録され、詳細情報識別ＩＤ＿Ｂ１２３−３より新しかった詳細情報識別ＩＤ１２３−１、１２３−２の表示履歴を最古の方に一つ更新する。
【００５６】
同一内容のものが存在しないと検知された場合、新規詳細情報の表示要求であるため、詳細情報識別ＩＤ取得１２９を行う。詳細情報識別ＩＤ取得１２９では詳細情報識別ＩＤ採番テーブル１２１３に登録されている内容を取得し、取得した値に１を加算した値を詳細情報識別ＩＤ採番テーブル１２１３に格納する。詳細情報実体の登録１２１０では表示要求のあった詳細情報実体（ここでは詳細情報実体Ｅ１２１４−２の表示要求があったものとする）と詳細情報識別ＩＤ取得１２９で取得した値を詳細情報実体記憶領域１２１４に登録する。表示履歴テーブル更新１２１１では、表示履歴テーブル１２１５に示すように表示要求のあった詳細情報実体Ｅ１２１４−２に対応する詳細情報識別ＩＤ＿Ｅ１２１４−１が最新詳細情報に登録され、そそれまで登録されていた詳細情報識別ＩＤ１２３−１、１２３−２、１２３−３、１２３−４は全て表示履歴を最古の方に一つ更新する。
【００５７】
図１３は、表示モード受け付け表示処理のフローチャートである。表示モードチェック１３１では表示モード受け付け手段より本詳細情報制御手段に渡された表示モードと表示モード記憶領域の内容を比較し、同じである場合、表示更新が必要ないので処理を終了する。
【００５８】
表示モード記憶領域更新処理１３２で本詳細情報制御手段に渡された表示モードを表示モード記憶領域に登録する。
【００５９】
表示モードチェック１３３で新たな表示モードが選択モードの場合、最新詳細情報に対し、選択詳細情報表示手段呼出し１３４を行い、表示更新を行う。通常モードの場合、最新詳細情報に対し、過去詳細情報表示手段呼出し１３５を行い、表示更新を行う。
【００６０】
図１４は、表示属性変更表示処理のフローチャートである。詳細情報表示属性変更チェック１４１で表示属性管理手段より本詳細情報制御手段に渡された変更属性フラグを参照し、詳細情報表示属性に変更があった場合、表示モードチエック１４２で表示モード記憶領域の内容をチェックし、選択モードの場合、選択詳細情報表示手段呼出し１４３を行い、最新詳細情報の表示更新を行う。
【００６１】
過去詳細情報表示属性変更チェック１４４では、変更属性フラグを参照し、過去詳細情報表示属性に変更があった場合、処理終了チェック１４６で各過去詳細情報に対し、過去詳細情報表示手段呼出し１４５を行い、表示更新を行う。
【００６２】
図１５は、選択詳細情報表示手段、および過去詳細情報表示手段での詳細情報の表示方法を示した図である。詳細情報１５１を選択詳細情報表示手段１５２で表示する場合、詳細情報１５１は詳細情報表示属性記憶領域１５４に登録されている表示属性で表示内容１５６が作成される。
【００６３】
詳細情報１５１を過去詳細情報表示手段１５３で表示する場合、詳細情報１５１は詳細情報表示属性記憶領域１５４に登録されている表示属性で作成され、さらに過去詳細情報表示属性記憶領域１５５内の透明率領域１５５−１、縮小率領域１５５−２に登録されている内容で表示変換が行われて表示内容１５８が作成される。
【図面の簡単な説明】
【００６４】
【図１】本発明方法を利用したウィンドウ内での詳細情報の表示内容である。
【図２】本発明の原理構成ブロック図である。
【図３】本発明の画像表示装置の構成図である。
【図４】表示件数管理手段のフローチャートである。
【図５】詳細情報表示受け付け手段のフローチャートである。
【図６】表示モード受け付け手段のフローチャートである。
【図７】表示属性管理手段のフローチャートである。
【図８】詳細情報制御手段での詳細情報の表示手段を判定する方法を示した図である。
【図９】詳細情報制御手段のフローチャートである。
【図１０】表示件数変更表示処理のフローチャートである。
【図１１】表示受け付け表示処理のフローチャートである。
【図１２】詳細情報表示履歴記憶領域更新処理における詳細情報表示履歴記憶領域の更新方法を示した図である。
【図１３】表示モード受け付け表示処理のフローチャートである。
【図１４】表示属性変更表示処理のフローチャートである。
【図１５】選択詳細情報表示手段、過去詳細情報表示手段での詳細情報の表示方法を示した図である。
【符号の説明】
【００６５】
２１、３６−１  表示件数管理手段
２２、３６−２、１２５  詳細情報表示受け付け手段
２３、３６−３  表示モード受け付け手段
２４、３６−４  表示属性管理手段
２５、３６−５  詳細情報制御手段
２６、３６−６、８４  詳細情報消去手段
２７、３６−７、８６、１５２  選択詳細情報表示手段
２８、３６−８、８５、１５３  過去詳細情報表示手段
３７−１、４６、８２  詳細情報表示件数記憶領域
３７−２、７０９、１５４  詳細情報表示属性記憶領域
３７−３、７１０、１５５  過去詳細情報表示属性記憶領域
３７−４、８１、１２１  詳細情報表示履歴記憶領域
３７−５、８７  表示モード記憶領域
【図１】
2008262312.tif 000003
【図２】
2008262312.tif 000004
【図３】
2008262312.tif 000005
【図４】
2008262312.tif 000006
【図５】
2008262312.tif 000007
【図６】
2008262312.tif 000008
【図７】
2008262312.tif 000009
【図８】
2008262312.tif 000010
【図９】
2008262312.tif 000011
【図１０】
2008262312.tif 000012
【図１１】
2008262312.tif 000013
【図１２】
2008262312.tif 000014
【図１３】
2008262312.tif 000015
【図１４】
2008262312.tif 000016
【図１５】
2008262312.tif 000017